(57)【要約】【課題】自身の携帯端末を持ち歩くのみで、複雑な操作や設定を行うことなく、移動先の据え置き端末において同様なサービスやコンテンツの利用を、そのリソースを有効活用した上で可能とすること。【解決手段】携帯端末１００に、据え置き端末用プログラム格納部１０２と、携帯端末用プログラム格納部１０３と、プログラム切替部１０６と、操作端末として携帯端末を用いるか据え置き端末を用いるかを決定し、プログラム切替部１０６を制御するとともに据え置き端末の環境情報に応じて表示データの加工に用いるパラメータを決定する入出力切替部１０７と、据え置き端末から環境情報を取得する端末環境情報取得部１１３と、取得した据え置き端末の環境情報を入出力切替部１０７に通知する端末環境情報通知部１１４とを設けることにより、据え置き端末の環境に適したプログラムや表示データによるサービスやコンテンツの利用が可能となる。【選択図】図２
2008278293.tif 000002
【特許請求の範囲】
【請求項１】
ユーザに携帯・所持されるとともに移動網に接続された携帯端末と、ユーザの移動先に設置されるとともに固定網に接続された据え置き端末と、これらを直接、通信可能に接続する近距離通信回線とを少なくとも備え、携帯端末もしくは据え置き端末によるサービスやコンテンツの利用を、携帯端末と据え置き端末との間で近距離通信回線を介して送受信される情報に基づいて制御する端末連携利用システムであって、
携帯端末は、
据え置き端末にその環境に関する情報である端末環境情報を要求し、取得する端末環境情報取得部と、
据え置き端末の端末環境情報に適したプログラムを格納する据え置き端末用プログラム格納部と、
携帯端末単体でサービスやコンテンツを利用する際に使用するプログラムを格納する携帯端末用プログラム格納部と、
据え置き端末用プログラム格納部または携帯端末用プログラム格納部のいずれに格納されたプログラムを実行するかを切り替えるプログラム切替部と、
操作端末として携帯端末を用いるか据え置き端末を用いるかを決定してプログラム切替部を制御するとともに、据え置き端末の端末環境情報に応じて表示データの加工に用いるパラメータを決定する入出力切替部と、
取得した据え置き端末の端末環境情報を、該据え置き端末の端末環境に適したデータを作成するために入出力切替部に通知する端末環境情報通知部とを有し、
据え置き端末は、
端末環境情報を格納する端末情報格納部と、
携帯端末からの要求に応じて端末情報格納部から端末環境情報を読み出し、携帯端末に通知する制御部とを有する
ことを特徴とする端末連携利用システム。
【請求項２】
請求項１記載の端末連携利用システムにおいて、
前記に加え、移動網上に配置され、携帯端末の位置情報を提供する位置情報決定部を有する位置情報サーバと、固定網上に配置され、据え置き端末が接続している回線情報を提供する回線情報決定部を有する回線識別サーバとを備え、
携帯端末は、前記に加え、
携帯端末経由のＮＷ接続である移動網と据え置き端末経由のＮＷ接続である固定網とのＮＷの切り替えを行うＮＷ切替部と、
携帯端末の位置情報を位置情報サーバから取得するとともに、据え置き端末が接続された回線情報を回線識別サーバから取得する位置情報取得部とを有する
ことを特徴とする端末連携利用システム。
【請求項３】
請求項１または２記載の端末連携利用システムにおいて、
前記に加え、携帯端末及び据え置き端末と移動網もしくは固定網を介して通信可能であって、携帯端末より通知された操作端末の端末環境情報を格納するユーザ操作端末情報格納部と、前記端末環境情報に基づいて提供するコンテンツを選択し、これを携帯端末に送信する制御部とを有するアプリケーションサーバを備え、
携帯端末は、
取得した据え置き端末の端末環境情報を、該据え置き端末の端末環境に適したデータを作成するために入出力切替部に通知するとともに、据え置き端末の端末環境情報に適したサービスやコンテンツを利用するためにアプリケーションサーバに通知する端末環境情報通知部を有する
ことを特徴とする端末連携利用システム。
【請求項４】
請求項１乃至３いずれか記載の端末連携利用システムにおいて、
携帯端末は、前記に加え、
据え置き端末にデータの経路選択機能を担わせるためのドライバ及び当該ドライバを据え置き端末に自動導入させるためのプログラムを格納するＮＷドライバ格納部を有する
ことを特徴とする端末連携利用システム。
【請求項５】
請求項１乃至４いずれか記載の端末連携利用システムにおいて、
据え置き端末は、
複数の端末環境情報をそれぞれ固有のＩＤとともに格納する端末情報格納部と、
動的な端末環境情報を取得する端末情報取得部と、
携帯端末からの要求に応じて、その時点の環境情報に対応する環境情報ＩＤ、またはその時点の環境情報ＩＤに対応する端末環境情報を端末情報格納部から読み出して、もしくは端末情報取得部を用いて取得した動的な端末環境情報を、携帯端末に通知する制御部とを有し、
携帯端末は、前記に加え、
端末環境情報取得部により据え置き端末から取得した端末環境情報を環境情報ＩＤとともに蓄積する端末環境情報蓄積部を有するとともに、
据え置き端末にその環境に関する情報である端末環境情報を、環境情報ＩＤのみ、またはＩＤを含めた端末環境情報全体、もしくは動的な端末環境情報のいずれかを切り替えて要求し、取得する端末環境情報取得部を有する
ことを特徴とする端末連携利用システム。
【請求項６】
ユーザに携帯・所持されるとともに移動網に接続された携帯端末であって、ユーザの移動先に設置されるとともに固定網に接続された据え置き端末と近距離通信回線を介して直接、通信可能に接続され、該近距離通信回線を介して送受信される情報に基づいて当該携帯端末単体もしくは据え置き端末経由でサービスやコンテンツを利用可能な携帯端末において、
据え置き端末にその環境に関する情報である端末環境情報を要求し、取得する端末環境情報取得部と、
据え置き端末の端末環境情報に適したプログラムを格納する据え置き端末用プログラム格納部と、
携帯端末単体でサービスやコンテンツを利用する際に使用するプログラムを格納する携帯端末用プログラム格納部と、
据え置き端末用プログラム格納部または携帯端末用プログラム格納部のいずれに格納されたプログラムを実行するかを切り替えるプログラム切替部と、
操作端末として携帯端末を用いるか据え置き端末を用いるかを決定してプログラム切替部を制御するとともに、据え置き端末の端末環境情報に応じて表示データの加工に用いるパラメータを決定する入出力切替部と、
取得した据え置き端末の端末環境情報を、該据え置き端末の端末環境に適したデータを作成するために入出力切替部に通知する端末環境情報通知部とを有する
ことを特徴とする携帯端末。
【請求項７】
請求項６記載の携帯端末において、前記に加え、
携帯端末経由のＮＷ接続である移動網と据え置き端末経由のＮＷ接続である固定網とのＮＷの切り替えを行うＮＷ切替部と、
移動網上に配置され、携帯端末の位置情報を提供する位置情報決定部を有する位置情報サーバから携帯端末の位置情報を取得するとともに、固定網上に配置され、据え置き端末が接続している回線情報を提供する回線情報決定部を有する回線識別サーバから据え置き端末が接続された回線情報を取得する位置情報取得部とを有する
ことを特徴とする携帯端末。
【請求項８】
請求項６または７記載の携帯端末において、
取得した据え置き端末の端末環境情報を、該据え置き端末の端末環境に適したデータを作成するために入出力切替部に通知するとともに、据え置き端末の端末環境情報に適したサービスやコンテンツを利用するために、携帯端末及び据え置き端末と移動網もしくは固定網を介して通信可能であって、携帯端末より通知された操作端末の端末環境情報を格納するユーザ操作端末情報格納部と、前記端末環境情報に基づいて提供するコンテンツを選択し、これを携帯端末に送信する制御部とを有するアプリケーションサーバに通知する端末環境情報通知部を有する
ことを特徴とする携帯端末。
【請求項９】
請求項６乃至８いずれか記載の携帯端末において、前記に加え、
据え置き端末にデータの経路選択機能を担わせるためのドライバ及び当該ドライバを据え置き端末に自動導入させるためのプログラムを格納するＮＷドライバ格納部を有する
ことを特徴とする携帯端末。
【請求項１０】
請求項６乃至９いずれか記載の携帯端末において、前記に加え、
端末環境情報取得部により据え置き端末から取得した端末環境情報を環境情報ＩＤとともに蓄積する端末環境情報蓄積部を有するとともに、
据え置き端末にその環境に関する情報である端末環境情報を、環境情報ＩＤのみ、またはＩＤを含めた端末環境情報全体、もしくは動的な端末環境情報のいずれかを切り替えて要求し、取得する端末環境情報取得部を有する
ことを特徴とする携帯端末。
【請求項１１】
ユーザの移動先に設置されるとともに固定網に接続された据え置き端末であって、ユーザに携帯・所持されるとともに移動網に接続された携帯端末と近距離通信回線を介して直接、通信可能に接続され、該近距離通信回線を介して送受信される情報に基づいて携帯端末単体もしくは当該据え置き端末との組み合わせによりサービスやコンテンツを利用可能な据え置き端末において、
端末環境情報を格納する端末情報格納部と、
携帯端末からの要求に応じて端末情報格納部から端末環境情報を読み出し、携帯端末に通知する制御部とを有する
ことを特徴とする据え置き端末。
【請求項１２】
請求項１１記載の据え置き端末において、
複数の端末環境情報をそれぞれ固有のＩＤとともに格納する端末情報格納部と、
動的な端末環境情報を取得する端末情報取得部と、
携帯端末からの要求に応じて、その時点の環境情報に対応する環境情報ＩＤ、またはその時点の環境情報ＩＤに対応する端末環境情報を端末情報格納部から読み出して、もしくは端末情報取得部を用いて取得した動的な端末環境情報を、携帯端末に通知する制御部とを有する
ことを特徴とする据え置き端末。
【請求項１３】
コンピュータを、請求項６乃至１２いずれか記載の装置の各手段として機能させるためのプログラム。
【発明の詳細な説明】
【技術分野】
【０００１】
本発明は、移動通信端末と据え置き端末とを連携させて利用する技術に関する。
【背景技術】
【０００２】
一般に携帯電話等の移動通信端末（以下、携帯端末と称す。）は、Ｗｅｂの閲覧、メールの送受信などのサービスの利用や、画像、動画や音楽の再生又は記録などのコンテンツの利用が可能である。しかし、携帯性重視のために表示画面が小さく、また、入力を行うための操作キーが小さく、その数も少ないという欠点がある。
【０００３】
一方、ＰＣ（パーソナルコンピュータ）やＴＶなどを始めとする据え置き端末は、表示画面も大きく、また、操作キーの大きさや数も充実しているが、移動先（ネットカフェ、会社や自宅）で利用できる据え置き端末の場合、端末毎にその環境（ハードウェア構成や使用可能なプログラムの種類、接続されている通信回線の種類（通信速度）など）が異なるため、どの移動先でも同様なサービスやコンテンツの利用ができるという保証はない。
【０００４】
このような携帯端末と据え置き端末の両者の欠点を補い、利用者の利便性や操作性の向上を図る技術がいくつか提案されている。
【０００５】
例えば、特許文献１では、携帯電話と接続したＰＣから携帯電話内のプログラムを遠隔起動し、当該プログラムによりコンテンツを表示データに変換した後、ＰＣに送信することにより、ＰＣ側にコンテンツを表示データに変換するプログラムがなくても、ＰＣの表示装置にコンテンツを表示できる技術が提案されている。
【特許文献１】特開２００６−１４８６２５号公報
【発明の開示】
【発明が解決しようとする課題】
【０００６】
上述した従来の技術では、利用者は自身の携帯端末を持ち歩くのみで、移動先に設置された据え置き端末において同様なサービスやコンテンツの利用が可能となり、携帯端末や据え置き端末をそれぞれ単独で用いる場合に比べれば利用者の利便性や操作性を向上させることができるものの、据え置き端末のリソース（資源）を活用し切れていないという問題があった。
【０００７】
例えば、据え置き端末の表示画面の大きさやＯＳ及びそのバージョンなどに適したプログラムや表示データによるサービスやコンテンツの利用ができない、また、最適なＮＷ接続手段の選択（ＰＣ経由か携帯電話経由か）や、据え置き端末が接続された固定回線の情報（地域情報、収容位置など）が活用できていない、また、据え置き端末の表示画面の大きさや通信速度などに適したサーバ上のコンテンツが利用できない、などが挙げられる。
【０００８】
本発明はこのような点に鑑みてなされたものであり、利用者は自身の携帯端末を持ち歩くのみで、複雑な操作や設定を行うことなく、移動先の据え置き端末において同様なサービスやコンテンツの利用を、そのリソースを有効活用した上で可能とすることを目的とする。
【課題を解決するための手段】
【０００９】
上記課題を解決するために、本発明では、ユーザに携帯・所持されるとともに移動網に接続された携帯端末と、ユーザの移動先に設置されるとともに固定網に接続された据え置き端末と、これらを直接、通信可能に接続する近距離通信回線とを少なくとも備え、携帯端末もしくは据え置き端末によるサービスやコンテンツの利用を、携帯端末と据え置き端末との間で近距離通信回線を介して送受信される情報に基づいて制御する端末連携利用システムであって、携帯端末は、据え置き端末にその環境に関する情報である端末環境情報を要求し、取得する端末環境情報取得部と、据え置き端末の端末環境情報に適したプログラムを格納する据え置き端末用プログラム格納部と、携帯端末単体でサービスやコンテンツを利用する際に使用するプログラムを格納する携帯端末用プログラム格納部と、据え置き端末用プログラム格納部または携帯端末用プログラム格納部のいずれに格納されたプログラムを実行するかを切り替えるプログラム切替部と、操作端末として携帯端末を用いるか据え置き端末を用いるかを決定してプログラム切替部を制御するとともに、据え置き端末の端末環境情報に応じて表示データの加工に用いるパラメータを決定する入出力切替部と、取得した据え置き端末の端末環境情報を、該据え置き端末の端末環境に適したデータを作成するために入出力切替部に通知する端末環境情報通知部とを有し、据え置き端末は、端末環境情報を格納する端末情報格納部と、携帯端末からの要求に応じて端末情報格納部から端末環境情報を読み出し、携帯端末に通知する制御部とを有することを特徴とする。
【００１０】
このような構成とすることで、据え置き端末の環境に適したプログラムや表示データによるサービスやコンテンツの利用が可能となる。
【００１１】
また、上記課題を解決するために、本発明では、前記に加え、移動網上に配置され、携帯端末の位置情報を提供する位置情報決定部を有する位置情報サーバと、固定網上に配置され、据え置き端末が接続している回線情報を提供する回線情報決定部を有する回線識別サーバとを備え、携帯端末は、前記に加え、携帯端末経由のＮＷ接続である移動網と据え置き端末経由のＮＷ接続である固定網とのＮＷの切り替えを行うＮＷ切替部と、携帯端末の位置情報を位置情報サーバから取得するとともに、据え置き端末が接続された回線情報を回線識別サーバから取得する位置情報取得部とを有することを特徴とする。
【００１２】
このような構成とすることで、最適なＮＷ接続手段の選択や、据え置き端末が接続された固定回線の情報の活用が可能となる。
【００１３】
また、上記課題を解決するために、本発明では、前記に加え、携帯端末及び据え置き端末と移動網もしくは固定網を介して通信可能であって、携帯端末より通知された操作端末の端末環境情報を格納するユーザ操作端末情報格納部と、前記端末環境情報に基づいて提供するコンテンツを選択し、これを携帯端末に送信する制御部とを有するアプリケーションサーバを備え、携帯端末は、取得した据え置き端末の端末環境情報を、該据え置き端末の端末環境に適したデータを作成するために入出力切替部に通知するとともに、据え置き端末の端末環境情報に適したサービスやコンテンツを利用するためにアプリケーションサーバに通知する端末環境情報通知部を有することを特徴とする。
【００１４】
このような構成とすることで、据え置き端末の環境に適したサーバ上のサービスやコンテンツの利用が可能となる。
【００１５】
また、上記課題を解決するために、本発明では、携帯端末は、前記に加え、据え置き端末にデータの経路選択機能を担わせるためのドライバ及び当該ドライバを据え置き端末に自動導入させるためのプログラムを格納するＮＷドライバ格納部を有することを特徴とする。また、据え置き端末のＯＳなど環境情報の変化に伴い、データ表示やキー入力操作を実現する上で据え置き端末側に必要となるプログラムを追加する機能も前記プログラムに含まれるようにしても良い。
【００１６】
このような構成とすることで、携帯端末と据え置き端末とを接続した際に、ユーザは複雑な操作や設定をせずとも必要な設定を自動的に行えるようにできる。
【００１７】
また、上記課題を解決するために、本発明では、据え置き端末は、複数の端末環境情報をそれぞれ固有のＩＤとともに格納する端末情報格納部と、動的な端末環境情報を取得する端末情報取得部と、携帯端末からの要求に応じて、その時点の環境情報に対応する環境情報ＩＤ、またはその時点の環境情報ＩＤに対応する端末環境情報を端末情報格納部から読み出して、もしくは端末情報取得部を用いて取得した動的な端末環境情報を、携帯端末に通知する制御部とを有し、携帯端末は、前記に加え、端末環境情報取得部により据え置き端末から取得した端末環境情報を環境情報ＩＤとともに蓄積する端末環境情報蓄積部を有するとともに、据え置き端末にその環境に関する情報である端末環境情報を、環境情報ＩＤのみ、またはＩＤを含めた端末環境情報全体、もしくは動的な端末環境情報のいずれかを切り替えて要求し、取得する端末環境情報取得部を有することを特徴とする。
【００１８】
このような構成とすることで、携帯端末と接続した据え置き端末の環境がそれ以前に接続した時と同じであれば、環境情報ＩＤをやりとりするのみで良く、環境情報の取得やそれに伴う処理が不要となるとともに、実効的な通信速度などの動的な端末環境情報を取得できるため、要求時点の環境に対して最適化されたサービスやコンテンツを利用することができる。
【発明の効果】
【００１９】
本発明の端末連携利用システムによれば、携帯端末と据え置き端末を組み合わせて利用する際に、最適なＮＷ接続手段（移動網経由か固定網経由）の選択をし、なおかつ端末環境情報やＮＷ情報をもとに利用できるサービスを適宜変化させることができる。さらに、上記のことを実現する際にユーザは複雑な操作や設定をする必要がない。
【発明を実施するための最良の形態】
【００２０】
以下、本発明の実施の形態に係る端末連携利用システムについて、図面を参照して説明する。
【００２１】
＜第１の実施の形態＞
図１は本発明の第１の実施の形態に係る端末連携利用システムの構成を示すもので、本端末連携利用システムは、ユーザに携帯・所持される携帯端末１００と、ユーザの移動先に設置される据え置き端末２００と、携帯端末１００及び据え置き端末２００を直接、通信可能に接続する近距離通信回線３００と、携帯端末１００を収容（接続）する移動網４００と、据え置き端末２００を収容（接続）する固定網５００と、携帯端末１００及び据え置き端末２００と移動網４００もしくは固定網５００を介して接続可能なネットワーク（図示せず）上に配置されたアプリケーションサーバ６００と、移動網４００上に配置された位置情報サーバ７００と、固定網５００上に配置された回線識別サーバ８００とを備えて構成されている。
【００２２】
なお、近距離通信回線３００とは、ＵＳＢケーブル、Ｂｌｕｅｔｏｏｔｈ（登録商標）、ＷｉｒｅｌｅｓｓＵＳＢ、赤外線等の、端末同士を直接、通信可能に接続する通信手段のことであり、どの手段を用いても構わない。また、図１では据え置き端末を１台のみ示しているが、ユーザの移動先が複数であれば、各移動先に設置された複数の据え置き端末が対象となることはいうまでもない。
【００２３】
図２は本発明の第１の実施の形態に係る携帯端末１００の構成を示すもので、携帯端末１００は、データ格納部１０１、据え置き端末用（ＰＣ用）プログラム格納部１０２、携帯端末用（携帯用）プログラム格納部１０３、実行部１０４、ネットワーク（ＮＷ）切替部１０５、プログラム切替部１０６、入出力切替部１０７、移動網接続インタフェース１０８、ＰＡＮ（Ｐｅｒｓｏｎａｌ  Ａｒｅａ  Ｎｅｔｗｏｒｋ）インタフェース１０９、ＮＷドライバ格納部１１０、入力部１１１、表示部１１２、端末環境情報取得部１１３、端末環境情報通知部１１４及び位置情報取得部１１５を含んで構成されている。
【００２４】
データ格納部１０１は、移動網４００から直接もしくは固定網５００から据え置き端末２００を経由して転送されてきたデータを格納する。ＰＣ用プログラム格納部１０２は、据え置き端末２００経由でサービスやコンテンツを利用する際に使用する、据え置き端末の端末環境情報に適したプログラムを格納する。携帯用プログラム格納部１０３は、携帯端末単体でサービスやコンテンツを利用する際に使用するプログラムを格納する。実行部１０４は、データ格納部１０１に格納されたデータを用いて、ＰＣ用プログラム格納部１０２もしくは携帯用プログラム格納部１０３に格納されたプログラムを実行する。
【００２５】
ＮＷ切替部１０５は、移動網接続インタフェース１０８を介して移動網４００に接続するか、ＰＡＮインタフェース１０９を介して据え置き端末２００経由で固定網５００に接続するかの切替を行う。プログラム切替部１０６は、ＰＣ用プログラム格納部１０２もしくは携帯用プログラム格納部１０３のいずれに格納されたプログラムを実行部１０４で実行するかを切り替える。入出力切替部１０７は、操作端末として携帯端末１００を用いるか据え置き端末２００を用いるかを決定してプログラム切替部１０６を制御するとともに、据え置き端末の端末環境情報に応じて表示データの加工に用いるパラメータを決定する。
【００２６】
移動網接続インタフェース１０８は、移動網４００に接続するためのインタフェースである。ＰＡＮインタフェース１０９は、前述した近距離通信回線３００を介して据え置き端末２００と通信するためのインタフェースである。ＮＷドライバ格納部１１０は、固定網５００及び据え置き端末２００経由でデータ通信を行う場合において、据え置き端末２００にデータの経路選択機能を担わせるためのドライバ及び当該ドライバを据え置き端末２００に自動導入させるためのプログラムを格納する。
【００２７】
入力部１１１はユーザからの入力を受け付ける操作キー等である。表示部１１２は情報をユーザに出力（提示）するディスプレイ等である。
【００２８】
端末環境情報取得部１１３は、据え置き端末２００にその環境に関する情報である端末環境情報を要求し、取得する。端末環境情報通知部１１４は、端末環境情報取得部１１３で取得した端末環境情報を、据え置き端末２００の端末環境に適したデータを作成する（データ加工に用いるパラメータを決定する）ために入出力切替部１０７に通知するとともに、据え置き端末２００の端末環境情報に適したコンテンツを利用するために（要求に応じて）アプリケーションサーバ６００に通知する。位置情報取得部１１５は、携帯端末１００の位置情報を位置情報サーバ７００から、ＮＷ切替部１０５及び移動網インタフェース１０８を介して移動網４００経由で取得するとともに、据え置き端末２００が接続された回線情報を回線識別サーバ８００から、ＮＷ切替部１０５及びＰＡＮインタフェース１０９を介して据え置き端末２００及び固定網５００経由で取得する。
【００２９】
図３は本発明の第１の実施の形態に係る据え置き端末２００の構成を示すもので、据え置き端末２００は、同図（ａ）に示すようにドライバ導入部２０１、主記憶部２０２、端末情報格納部２０３、ＰＡＮインタフェース２０４、ＬＡＮインタフェース２０５、制御部２０６、入力部２０７及び表示部２０８を含んで構成され、また、同図（ｂ）に示すようにドライバ導入部２０１は、経路情報保持部２０９及び経路制御部２１０を含んで構成されている。
【００３０】
ドライバ導入部２０１は、携帯端末１００において当該据え置き端末２００を介し、固定網５００経由でサービスやコンテンツを利用する際に当該据え置き端末２００にデータの経路選択機能を担わせるためのもので、経路情報保持部２０９は経路情報（経路表）を保持し、また、経路制御部２１０は導入されたドライバにより経路情報の設定を行い、これを経路情報保持部２０９に対して保持させるとともに、該設定・保持させた経路情報に従って伝送データの経路制御を行う。
【００３１】
主記憶部２０２は、各種のプログラムや伝送データなどを一時的に記憶する。端末情報格納部２０３は、当該据え置き端末２００のハードウェア構成、ＯＳやそのバージョン、通信速度などからなる端末環境情報を格納する。
【００３２】
ＰＡＮインタフェース２０４は、前述した近距離通信回線３００を介して携帯端末１００と通信するためのインタフェースである。ＬＡＮインタフェース２０５は、据え置き端末２００が設置された場所に設けられたＬＡＮ（図示せず）を介して固定網５００に接続するためのインタフェースである。制御部２０６は、携帯端末１００からの要求に応じて端末情報格納部２０３から端末環境情報を読み出し、携帯端末１００に通知するとともに、ドライバ導入部２０１への前述したドライバの導入を行う。
【００３３】
入力部２０７はユーザからの入力を受け付けるキーボードやマウス等である。表示部２０８は情報をユーザに出力（提示）するディスプレイ等である。
【００３４】
図４は本発明の第１の実施の形態に係るアプリケーションサーバ６００、位置情報サーバ７００及び回線識別サーバ８００の構成を示すもので、アプリケーションサーバ６００は、同図（ａ）に示すようにコンテンツ格納部６０１、ユーザ操作端末情報格納部６０２、制御部６０３及びＮＷインタフェース６０４を含んで構成され、また、位置情報サーバ７００は、同図（ｂ）に示すように位置情報格納部７０１、位置情報決定部７０２及びＮＷインタフェース７０３を含んで構成され、また、回線識別サーバ８００は、同図（ｃ）に示すように回線情報格納部８０１、回線情報決定部８０２及びＮＷインタフェース８０３を含んで構成されている。
【００３５】
コンテンツ格納部６０１は、ユーザに提供する各種のサービスやコンテンツ（のデータ）を格納する。ユーザ操作端末情報格納部６０２は、携帯端末１００より通知された操作端末の端末環境情報を格納する。制御部６０３は、前記端末環境情報に基づいて提供するサービスやコンテンツ（のデータ）を選択し、これを携帯端末１００に送信する。
【００３６】
位置情報格納部７０１は、携帯端末１００が位置する位置情報を格納する。位置情報決定部７０２は、要求に応じて携帯端末の位置情報を提供する。
【００３７】
回線情報格納部８０１は、据え置き端末２００が接続している回線情報を格納する。回線情報決定部８０２は、要求に応じて据え置き端末２００が接続している回線情報を提供する。
【００３８】
ＮＷインタフェース６０４、７０３及び８０３は、アプリケーションサーバ６００、位置情報サーバ７００及び回線識別サーバ８００がそれぞれ、アプリケーションサーバ６００を収容するＮＷ（図示せず）、移動網４００及び固定網５００と接続するためのインタフェースである。
【００３９】
図５は本発明の第１の実施の形態に係る端末連携利用システムにおける携帯端末１００と据え置き端末とが直接接続された時の動作の流れを示すもので、以下、図１乃至図４に示すシステム及び各装置のブロック図とともに、本端末連携利用システムの動作を説明する。
【００４０】
まず、携帯端末１００と据え置き端末２００とが近距離通信回線３００を介して直接接続される（ステップＳ１０１）と、携帯端末１００の入出力切替部１０７にて実際にデータのやり取りが可能であるかが判定され、利用者が操作している端末を決定する（ステップＳ１０２）。操作端末が携帯端末１００であると決定された場合は、ステップＳ１１７へと遷移する。一方、操作端末が据え置き端末２００であると決定されると、端末環境情報取得部１１３は据え置き端末２００に対しその端末環境情報、ここではＯＳやバージョン情報をＰＡＮインタフェース１０９を介して要求する（ステップＳ１０３）。据え置き端末２００では、前記要求を受信すると、制御部２０６により端末情報格納部２０３からハードウェア構成、ＯＳやそのバージョンなどに関する情報を読み出し、これをＰＡＮインタフェース２０４を介して携帯端末１００に通知する（ステップＳ１０４）。通知された端末環境情報は携帯端末１００の端末環境情報取得部１１３に操作端末のＯＳ／バージョン情報として保存される（ステップＳ１０５）。
【００４１】
据え置き端末２００に接続された固定網５００経由でサービスやコンテンツを利用する場合、固定網５００からの受信データは携帯端末１００に送信し、携帯端末１００からの送信データは固定網５００に送信するように、据え置き端末２００はデータの経路選択機能を担うものとする。このため、経路選択機能を備えるために必要となる経路表やドライバが据え置き端末２００に導入されている必要がある。そこで、携帯端末１００の入出力切替部１０７は据え置き端末２００に適切なドライバが導入されているかを確認要求し（ステップＳ１０６）、据え置き端末２００の制御部２０６はドライバ導入部２０１にドライバが導入済みかを確認する（ステップＳ１０７）。ドライバが既に導入されている場合は、ステップＳ１１１に遷移し、ドライバが未導入の場合は、ＰＡＮインタフェース２０４を介して携帯端末１００にドライバを要求する（ステップＳ１０８）。
【００４２】
携帯端末１００では、入出力切替部１０７によりＮＷドライバ格納部１１０に格納されているドライバの中から、ステップＳ１０４，Ｓ１０５にて確認した据え置き端末２００の環境に適したドライバを読み出して送り返し（ステップＳ１０９）、据え置き端末２００ではドライバ導入部２０１へのドライバ導入が行われる（ステップＳ１１０）。
【００４３】
ドライバ導入部２０１の経路制御部２１０は、導入済みもしくはステップＳ１１０にて導入したドライバにて経路設定を行うため、携帯端末１００に対し、そのＩＰアドレスなどの情報をＰＡＮインタフェース２０４を介して要求し（ステップＳ１１１）、携帯端末１００から返信された（ステップＳ１１２）情報を基に、経路情報保持部２０９にて経路情報の設定を行った（ステップＳ１１３）後、設定の結果を携帯端末１００に通知する（ステップＳ１１４）。
【００４４】
携帯端末１００の端末環境情報取得部１１３は、ステップＳ１１４にて経路設定の完了通知を受けると、操作端末である据え置き端末２００の表示画面の大きさや固定網経由での通信速度など、利用状況の確認要求を行う（ステップＳ１１５）。一方、要求を受けた据え置き端末２００の制御部２０６は、表示部２０８や経路制御部２１０から必要な情報を収集し、携帯端末１００に操作端末の利用状況として通知する（ステップＳ１１６）。
【００４５】
また、携帯端末１００では、取得した端末環境情報を、端末環境情報通知部１１４により入出力切替部１０７へ通知し、表示データの加工に用いるパラメータを決定する（ステップＳ１１７）。これは、据え置き端末に適した状態に表示データを加工するもので、例えば携帯端末用の低解像度の表示データを、据え置き端末の高解像度の表示装置用に変換することが出来る。
【００４６】
さらに、入出力切替部１０７にて表示装置を決定する（ステップＳ１１８）ことで、操作端末が携帯端末１００の場合はステップＳ１２２へ遷移し、表示部１１２に表示される。操作端末が据え置き端末２００の場合には、ステップＳ１１７のパラメータをもとに表示データの加工（ステップＳ１１９）を行い、表示に適したデータを表示信号として据え置き端末２００に送信する（ステップＳ１２０）。制御部２０６では、受信したデータが表示信号であると判定し、表示部２０８に受け渡し、表示される（ステップＳ１２１）。
【００４７】
図６は本発明の第１の実施の形態に係る端末連携利用システムにおける具体的なサービスを利用する際の動作の流れを示すもので、以下、図１乃至図４に示すシステム及び各装置のブロック図とともに、本端末連携利用システムの動作を説明する。
【００４８】
ここでいう具体的なサービスとは、特定業者により家庭内の監視作業を行う位置限定サービス（遠隔監視システム）を指す。この場合、特定業者の監視員が適切な場所として事業所からアクセスしているかを確認するものであり、事業所以外からのアクセスなど、不正がされないようにするためのものである。
【００４９】
なお、携帯端末１００と据え置き端末２００とは近距離通信回線３００を介して既に接続されており、据え置き端末２００を介して固定網５００経由でネットワーク上のサービスを利用するものとする。
【００５０】
また、ここでシーケンス図には示さないが、アプリケーションサーバ６００へのデータ送信の際には、携帯端末１００から近距離通信回線３００を介して据え置き端末２００に送信されたデータが、経路制御部２１０にてアプリケーションサーバ６００へと経路決定されている。逆にアプリケーションサーバ６００から据え置き端末２００が受信したデータは携帯端末１００へと経路決定されている。
【００５１】
また同様に、回線識別サーバ８００へのデータ送信の際には、携帯端末１００から近距離通信回線３００を介して据え置き端末２００に送信されたデータが、経路制御部２１０にて回線識別サーバ８００へと経路決定されている。逆に回線識別サーバ８００から据え置き端末２００が受信したデータは携帯端末１００へと経路決定されている。
【００５２】
まず、利用者が据え置き端末２００の入力部２０７より携帯端末１００内のブラウザ起動要求を行う（ステップＳ２０１）。要求を受信したプログラム切替部１０６は、実行部１０４を介してＰＣ用プログラム格納部１０２内のブラウザを起動する（ステップＳ２０２）。また、入出力切替部１０７において表示装置を据え置き端末２００の表示部２０８と決定し（ステップＳ２０３）、前述したステップＳ１１７にて決定したパラメータに従い、表示データを加工し（ステップＳ２０４）、これをＰＡＮインタフェース１０９を介して近距離通信回線３００経由で据え置き端末２００に送信する（ステップＳ２０５）。据え置き端末２００の制御部２０６では表示データと判断し、表示部２０８にて表示を行う（ステップＳ２０６）。
【００５３】
次に、業者の監視員が据え置き端末２００の入力部２０７より監視先のＵＲＬを入力する（ステップＳ２０７）と、携帯端末１００内のブラウザより目的のサーバ、ここではアプリケーションサーバ６００へとアクセス要求が送信される（ステップＳ２０８）。アクセス要求を受けたアプリケーションサーバ６００はアクセスに必要なデータを携帯端末１００へ送信し（ステップＳ２０９）、携帯端末１００ではこのデータをもとに、実行部１０４のプログラムにて位置情報の要否を判定する（ステップＳ２１０）。もし、位置情報が必要とされない場合は、ステップＳ２２５へ遷移する。
【００５４】
位置情報が必要な場合、位置情報取得部１１５はＮＷ切替部１０５にてＮＷを切り替え、移動網接続インタフェース１０８を介して移動網４００経由で位置情報サーバ７００に位置情報の要求を行う（ステップＳ２１１）。位置情報サーバ７００では、携帯端末１００の位置を判定し（ステップＳ２１２）、位置情報として携帯端末１００に通知する（ステップＳ２１３）。さらに、位置情報取得部１１５は、据え置き端末２００が接続されている固定網の設置位置を確認するために、固定網５００経由で回線識別サーバ８００に位置情報の要求を行う（ステップＳ２１４）。要求を受けた回線識別サーバ８００では、接続中の固定網の位置を判定し（ステップＳ２１５）、位置情報として携帯端末１００に通知する（ステップＳ２１６）。
【００５５】
実行部１０４は移動網４００及び固定網５００の両者から得られた位置情報をもとにアプリケーションサーバ６００に位置照合の要求を行い（ステップＳ２１７）、アプリケーションサーバ６００にて両方の位置が同じ場所でないと判定された場合（ステップＳ２１８）、位置照合結果を携帯端末１００に通知する（ステップＳ２１９）。さらに、入出力切替部１０７において表示装置を据え置き端末２００の表示部２０８と決定し（ステップＳ２２０）、前述したステップＳ１１７にて決定したパラメータに従い、表示データを加工し（ステップＳ２２１）、これをＰＡＮインタフェース１０９を介して近距離通信回線３００経由で据え置き端末２００に送信する（ステップＳ２２２）。据え置き端末２００の制御部２０６では表示データと判断し、表示部２０８にて表示を行う（ステップＳ２２３）。一方、ステップＳ２１９にて位置の照合結果が一致と判断された場合、実行部１０４では、位置照合の結果を受信した（ステップＳ２２４）後、サービス要求をアプリケーションサーバ６００に送信する（ステップＳ２２５）。
【００５６】
さらに、アプリケーションサーバ６００からの端末利用状況の要求（ステップＳ２２６）に応じて、端末環境情報通知部１１４は、据え置き端末２００の表示部２０８の解像度やＬＡＮインタフェース経由の通信速度をアプリケーションサーバ６００に送信する（ステップＳ２２７）。アプリケーションサーバ６００では、受信した端末利用状況の情報に応じて最適なアプリケーション（コンテンツ）を決定し（ステップＳ２２８）、提供する（ステップＳ２２９）。携帯端末１００では入出力切替部１０７により、据え置き端末２００用に表示データを加工して送信し（ステップＳ２３０，Ｓ２３１，Ｓ２２２）、据え置き端末２００では受信したデータを表示部２０８にて表示する（ステップＳ２３３）。
【００５７】
ここで、最適なアプリケーションについて、携帯端末１００を単体で利用する場合と据え置き端末２００と組み合わせて使う場合とで比較してみる。携帯端末１００を単体で操作し、サービスを利用する場合では、携帯端末１００の表示部１１２は据え置き端末２００の表示部２０８と比較して小さく、移動網接続インタフェース１０８を経由してのデータ通信速度は固定網経由と比較して低速であると考えられる。そのため、携帯端末１００の単体利用時には、解像度が荒く、ビットレートの低い動画が再生されるのに対して、据え置き端末２００と組み合わせて使う場合には、より高解像度でビットレートの高い高品質の動画サービスが受けられる。
【００５８】
＜第２の実施の形態＞
ＰＣのような据え置き端末の場合、同じ据え置き端末であってもその時々で環境が変更される可能性がある。例えばノートＰＣを無線ＬＡＮ接続で使う場合と、同じノートＰＣに大型ディスプレイをつなぎ、有線ＬＡＮ接続で使う場合とでは、画面の大きさと通信速度が異なる。さらに、環境の中には実効的な通信速度のように、据え置き端末自体以外の要因で時々刻々変化し、これによってサービスやコンテンツの利用に影響するものもある。例えば、ＮＷインタフェースの通信速度としては１００Ｍｂｐｓであったとしても、実効値が５Ｍｂｐｓであれば１０Ｍｂｐｓを必要とする動画再生はできないことになる。
【００５９】
そこで、以下、同一の据え置き端末に対して複数の環境情報を扱うことができるとともに、第１の実施の形態で述べたような端末自体のハードウェア構成や設定によって決定される端末環境情報（以下、静的な端末環境情報と呼ぶ。）とともに、主として端末以外の要因によって時々刻々変化するような端末環境情報（以下、動的な端末環境情報と呼ぶ。）を扱うことができる本発明の第２の実施の形態に係る端末連携利用システムについて図面を参照して説明する。
【００６０】
なお、第２の実施の形態に係る端末連携利用システムの構成や手順のうち、第１の実施の形態に係る端末連携利用システムと同一のものには同一の符号を付してその説明を省略する。第２の実施の形態に係る端末連携利用システムのシステム構成は、図１に示される第１の実施の形態の場合と同一である。
【００６１】
図７は本発明の第２の実施の形態に係る据え置き端末２００の構成を示すものである。ここで、端末情報格納部２０３は、前述したようにその時々で異なる当該据え置き端末２００の複数の端末環境情報（静的な端末環境情報）を、図８に示すようにそれぞれ固有の環境情報ＩＤ（１０００，１００１，…）とともに格納する。また、端末情報取得部２１１は、要求に応じて動的な端末環境情報、例えば実効的な通信速度を取得する。また、制御部２０６は、携帯端末１００からの要求が後述するように環境情報ＩＤのみであれば（例えば主記憶部２０２に記憶した）その時点の端末環境情報に対応する環境情報ＩＤを、また、要求が端末環境情報であればその時点の環境情報ＩＤに対応する端末環境情報を端末情報格納部２０３から読み出して該環境情報ＩＤを含めて、さらにまた、要求が動的な端末環境情報であれば端末情報取得部２１１を用いて取得した動的な端末環境情報を、携帯端末１００に通知するとともに、ドライバ導入部２０１への前述したドライバの導入を行う。なお、上記以外の構成は第１の実施の形態の場合と同様である。
【００６２】
図９は本発明の第２の実施の形態に係る携帯端末１００の構成を示すものである。ここで、端末環境情報蓄積部１１６は、図１０（ａ）に示すように、端末環境情報取得部１１３により据え置き端末２００から取得した端末環境情報を上記環境情報ＩＤとともに蓄積する。なお、図１０（ｂ）に示すように、携帯側では、据え置き端末２００自体のＩＤと環境情報ＩＤとをセットにして管理・蓄積するようにしても良い。また、端末環境情報取得部１１３は、据え置き端末２００に端末環境情報を要求する際、環境情報ＩＤのみ、またはＩＤを含めた端末環境情報全体（静的な端末環境情報）、もしくは動的な端末環境情報のいずれかを切り替えて要求するものとする。なお、上記以外の構成は第１の実施の形態の場合と同様である。
【００６３】
図１１は本発明の第２の実施の形態に係る端末連携利用システムにおける携帯端末１００と据え置き端末とが直接接続された時の動作の流れを示すもので、以下、図１、図９、図７及び図４に示すシステム及び各装置のブロック図とともに、本端末連携利用システムの動作を説明する。
【００６４】
まず、携帯端末１００と据え置き端末２００とが近距離通信回線３００を介して直接接続され（ステップＳ１０１）、操作端末が据え置き端末２００であると決定される（ステップＳ１０２）と、端末環境情報取得部１１３は据え置き端末２００に対しその環境情報ＩＤをＰＡＮインタフェース１０９を介して要求する（ステップＳ１３１）。据え置き端末２００では、前記要求を受信すると、制御部２０６によりその時点の環境情報ＩＤをＰＡＮインタフェース２０４を介して携帯端末１００に通知する（ステップＳ１３２）。
【００６５】
携帯端末１００では、通知された端末情報ＩＤが端末環境情報蓄積部１１６に登録済みのＩＤかどうかを確認する（ステップＳ１３３）。前記ＩＤが端末環境情報蓄積部１１６に登録済み、つまり過去に利用した履歴として残っていれば、ステップＳ１０３〜Ｓ１１６の処理、即ち据え置き端末２００に対する環境情報取得、ドライバのインストール、経路設定などの処理が省略可能となってＳステップ１１７へ遷移し、処理の高速化が実現される。
【００６６】
一方、前記ＩＤが端末環境情報蓄積部１１６に登録されていなければ、ステップＳ１０３以下の処理が第１の実施の形態の場合と同様に実行される。但し、ステップＳ１０３ではステップＳ１３２で通知されたＩＤをキーとして対応する端末環境情報を要求するようにしても良く、また、ステップＳ１０５では端末環境情報取得部１１３により取得された端末環境情報をそのＩＤを含めて端末環境情報蓄積部１１６に登録するものとする。なお、その後の処理は第１の実施の形態の場合と同様である。
【００６７】
図１２は本発明の第２の実施の形態に係る端末連携利用システムにおける具体的なサービスを利用する際の動作の流れを示すもので、以下、図１、図９、図７及び図４に示すシステム及び各装置のブロック図とともに、本端末連携利用システムの動作を説明する。
【００６８】
なお、携帯端末１００と据え置き端末２００とは近距離通信回線３００を介して既に接続され、据え置き端末２００の静的な端末環境情報取得（ステップＳ１３１、Ｓ１０３、Ｓ１１１、Ｓ１１５）が終了し、さらに携帯端末１００ではブラウザが起動され、据え置き端末２００及び固定網５００経由でアプリケーションサーバ６００の動画サイトにログインしている（ステップＳ３０１）ものとする。
【００６９】
利用者が据え置き端末２００の入力部２０７よりコンテンツ指定キーを入力する（ステップＳ３０２）と、携帯端末１００の端末環境情報取得部１１３は据え置き端末２００に対し動的な端末環境情報を要求する（ステップＳ３０３）。据え置き端末２００では、前記要求を受信すると、制御部２０６により端末情報取得部２１１を用いてその時点の実効的な通信速度を取得させ、図１３に示すように、これをその時点における通信速度以外の端末環境情報とともに携帯端末１００に通知する（ステップＳ３０４）。通知された動的な端末環境情報は、携帯端末１００の端末環境情報取得部１１３に操作端末の端末環境情報として保存される。
【００７０】
その後、携帯端末１００の実行部１０４は、前記入力された指定キーを含むコンテンツ要求をアプリケーションサーバ６００に送信する（ステップＳ３０５）。また、アプリケーションサーバ６００からの端末情報の要求（ステップＳ３０６）に応じて、端末環境情報通知部１１４は、端末環境情報取得部１１３から現時点での据え置き端末２００の表示部２０８の解像度やＬＡＮインタフェース経由の通信速度を読み出し（ステップＳ３０７）、アプリケーションサーバ６００に送信する（ステップＳ３０８）。
【００７１】
アプリケーションサーバ６００では、受信した端末情報に応じてコンテンツを最適化し（ステップＳ３０９）、送信する（ステップＳ３１０）。携帯端末１００では、実行部１０４を介してＰＣ用プログラム格納部１０２内の動画再生プログラムを起動し（ステップＳ３１１）、受信したコンテンツを再生する（ステップＳ３１２）。さらに、入出力切替部１０７にて表示装置を決定する（ステップＳ３１３）ことで、操作端末が携帯端末１００の場合はステップＳ３１７へ遷移し、表示部１１２に表示される。操作端末が据え置き端末２００の場合には、前述したステップＳ１１７にて決定したパラメータに従い表示データを加工し（ステップＳ３１４）、表示に適したデータを表示信号として据え置き端末２００に送信する（ステップＳ３１５）。制御部２０６では、受信したデータが表示信号であると判定し、表示部２０８に受け渡し、表示される（ステップＳ３１６）。
【００７２】
このように、第２の実施の形態によれば、携帯端末１００と接続した据え置き端末２００の環境がそれ以前に接続した時と同じであれば、環境情報ＩＤをやりとりするのみで良く、端末環境情報の取得やそれに伴う処理が不要となるとともに、アプリケーションサーバ６００に実効的な通信速度などの動的な端末環境情報を提供できるため、要求時点の環境に対して最適化されたサービスやコンテンツを利用することができる。
【図面の簡単な説明】
【００７３】
【図１】本発明の第１の実施の形態に係る端末連携利用システムのブロック構成図
【図２】本発明の第１の実施の形態に係る携帯端末のブロック構成図
【図３】本発明の第１の実施の形態に係る据え置き端末のブロック構成図
【図４】本発明の第１の実施の形態に係るアプリケーションサーバ、位置情報サーバ及び回線識別サーバのブロック構成図
【図５】本発明の第１の実施の形態に係る端末連携利用システムにおける携帯端末と据え置き端末とが直接接続された時の動作の流れを示すシーケンス図
【図６】本発明の第１の実施の形態に係る端末連携利用システムにおける具体的なサービスを利用する際の動作の流れを示すシーケンス図
【図７】本発明の第２の実施の形態に係る据え置き端末のブロック構成図
【図８】図７中の端末情報格納部に格納される端末環境情報の一例を示す説明図
【図９】本発明の第２の実施の形態に係る携帯端末のブロック構成図
【図１０】図９中の端末環境情報蓄積部に登録される端末環境情報の一例を示す説明図
【図１１】本発明の第２の実施の形態に係る端末連携利用システムにおける携帯端末と据え置き端末とが直接接続された時の動作の流れを示すシーケンス図
【図１２】本発明の第２の実施の形態に係る端末連携利用システムにおける具体的なサービスを利用する際の動作の流れを示すシーケンス図
【図１３】動的な端末環境情報の一例を示す説明図
【符号の説明】
【００７４】
１００：携帯端末、１０１：データ格納部、１０２：据え置き端末用（ＰＣ用）プログラム格納部、１０３：携帯端末用（携帯用）プログラム格納部、１０４：実行部、１０５：ネットワーク（ＮＷ）切替部、１０６：プログラム切替部、１０７：入出力切替部、１０８：移動網接続インタフェース、１０９：ＰＡＮインタフェース、１１０：ＮＷドライバ格納部、１１１：入力部、１１２：表示部、１１３：端末環境情報取得部、１１４：端末環境情報通知部、１１５：位置情報取得部、１１６：端末環境情報蓄積部、２００：据え置き端末、２０１：ドライバ導入部、２０２：主記憶部、２０３：端末情報格納部、２０４：ＰＡＮインタフェース、２０５：ＬＡＮインタフェース、２０６：制御部、２０７：入力部、２０８：表示部、２０９：経路情報保持部、２１０：経路制御部、２１１：端末情報取得部、３００：近距離通信回線、４００：移動網、５００：固定網、６００：アプリケーションサーバ、６０１：コンテンツ格納部、６０２：ユーザ操作端末情報格納部、６０３：制御部、６０４，７０３，８０３：ＮＷインタフェース、７００：位置情報サーバ、７０１：位置情報格納部、７０２：位置情報決定部、８００：回線識別サーバ、８０１：回線情報格納部、８０２：回線情報決定部。
【図１】
2008278293.tif 000003
【図２】
2008278293.tif 000004
【図３】
2008278293.tif 000005
【図４】
2008278293.tif 000006
【図５】
2008278293.tif 000007
【図６】
2008278293.tif 000008
【図７】
2008278293.tif 000009
【図８】
2008278293.tif 000010
【図９】
2008278293.tif 000011
【図１０】
2008278293.tif 000012
【図１１】
2008278293.tif 000013
【図１２】
2008278293.tif 000014
【図１３】
2008278293.tif 000015